(57)【要約】【課題】不慣れなユーザーであっても、台形歪補正を容易に操作することが可能なプロジェクターを提供する。【解決手段】プロジェクター１は、光源１１と、光源１１から射出された光を変調して画像を形成する光変調装置（液晶ライトバルブ１２）と、光変調装置で形成された画像を投写する投写光学系（投写レンズ１３）と、投写した画像の投写面上の台形歪を補正するための台形歪補正手段（入力操作受付部２１、制御部２０、台形歪補正部３４）と、台形歪補正手段を用いて台形歪を補正するための操作方法を表す操作方法画像を記憶する操作方法画像記憶部（ＯＳＤメモリー３３ａ）と、光源１１を点灯させるための電源オン操作を受け付けるオン操作受付部（入力操作受付部２１）と、オン操作受付部が電源オン操作を受け付けると、操作方法画像記憶部に記憶された操作方法画像の投写を開始する操作方法画像投写開始部（制御部２０、ＯＳＤ処理部３３）と、を備える。【選択図】図１
2010271612.tif 000002
【特許請求の範囲】
【請求項１】
光源と、
前記光源から射出された光を変調して画像を形成する光変調装置と、
前記光変調装置で形成された画像を投写する投写光学系と、
投写した画像の投写面上の台形歪を補正するための台形歪補正手段と、
前記台形歪補正手段を用いて前記台形歪を補正するための操作方法を表す操作方法画像を記憶する操作方法画像記憶部と、
前記光源を点灯させるための電源オン操作を受け付けるオン操作受付部と、
前記オン操作受付部が前記電源オン操作を受け付けると、前記操作方法画像記憶部に記憶された前記操作方法画像の投写を開始する操作方法画像投写開始部と、
を備えることを特徴とするプロジェクター。
【請求項２】
請求項１に記載のプロジェクターであって、
前記操作方法画像投写開始部が前記操作方法画像の投写を開始した後、所定の時間の経過後に前記操作方法画像の投写を終了する操作方法画像投写終了部をさらに備えることを特徴とするプロジェクター。
【請求項３】
請求項１または２に記載のプロジェクターであって、
入力操作を受け付ける入力操作受付部をさらに有し、
前記操作方法画像投写開始部が前記操作方法画像の投写を開始した後、前記入力操作受付部が所定の入力操作を受け付けると、前記操作方法画像投写終了部は、前記操作方法画像の投写を終了することを特徴とするプロジェクター。
【請求項４】
請求項３に記載のプロジェクターであって、
前記所定の入力操作は、前記入力操作受付部が受け付ける任意の入力操作とすることを特徴とするプロジェクター。
【請求項５】
光源と、前記光源から射出された光を変調して画像を形成する光変調装置と、前記光変調装置で形成された画像を投写する投写光学系と、投写した画像の投写面上の台形歪を補正するための台形歪補正手段と、前記台形歪補正手段を用いて前記台形歪を補正するための操作方法を表す操作方法画像を記憶する操作方法画像記憶部と、を備えたプロジェクターの制御方法であって、
前記光源を点灯させるための電源オン操作を受け付けるオン操作受付ステップと、
前記オン操作受付ステップによって前記電源オン操作が受け付けられると、前記操作方法画像記憶部に記憶された前記操作方法画像の投写を開始する操作方法画像投写開始ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
画像をスクリーン等の投写面に投写するプロジェクターにおいて、投写面に対してプロジェクターを傾けた状態で画像を投写した場合には、投写面に表示される画像が台形状に歪む現象（台形歪）が生じる。このため、台形歪を補正する機能を備えたプロジェクターが知られている。しかし、プロジェクター操作に不慣れなユーザーにおいては、このような台形歪補正の操作方法を認識していない場合があった。
【０００３】
特許文献１には、プロジェクターの傾斜（設置角度）を検出して、この傾斜に起因する台形歪を自動的に補正するプロジェクターが提案されている。このようなプロジェクターによれば、プロジェクターの操作に不慣れなユーザーであっても、台形歪補正がなされた画像を得ることができる。
【先行技術文献】
【特許文献】
【０００４】
【特許文献１】特開２００３−２８３９６３号公報
【発明の概要】
【発明が解決しようとする課題】
【０００５】
しかしながら、特許文献１に記載のプロジェクターにおいて、設置角度を検出するためには、加速度センサー等の設置角度検出装置をプロジェクターに有した態様とする必要があるため、製造コストが増加してしまうという課題があった。よって、このような製造コストの増加を抑制し、プロジェクターに不慣れなユーザーであっても、台形歪補正を容易に操作することが可能なプロジェクターが求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光を変調して画像を形成する光変調装置と、前記光変調装置で形成された画像を投写する投写光学系と、投写した画像の投写面上の台形歪を補正するための台形歪補正手段と、前記台形歪補正手段を用いて前記台形歪を補正するための操作方法を表す操作方法画像を記憶する操作方法画像記憶部と、前記光源を点灯させるための電源オン操作を受け付けるオン操作受付部と、前記オン操作受付部が前記電源オン操作を受け付けると、前記操作方法画像記憶部に記憶された前記操作方法画像の投写を開始する操作方法画像投写開始部と、を備えることを特徴とする。
【０００８】
このようなプロジェクターによれば、台形歪補正手段によって、プロジェクターが投写した画像の台形歪を補正する。操作方法画像記憶部は、台形歪補正手段を用いて台形歪を補正するための操作方法を表す操作方法画像を記憶する。オン操作受付部は、プロジェクターの光源を点灯させるための電源オン操作を受け付ける。操作方法画像投写開始部は、電源オン操作を受け付けると、操作方法画像の投写を開始する。つまり、電源オンされると、プロジェクターは、台形歪を補正するための操作方法の画像の投写を開始する。これにより、ユーザーは、台形歪を補正するための操作方法を視認して理解することができるため、プロジェクターに不慣れなユーザーであっても、台形歪補正を容易に行うことが可能となる。また、このようなプロジェクターによれば、製造コストの増加を抑制することができる。
【０００９】
［適用例２］上記適用例に係るプロジェクターにおいて、前記操作方法画像投写開始部が前記操作方法画像の投写を開始した後、所定の時間の経過後に前記操作方法画像の投写を終了する操作方法画像投写終了部をさらに備えることを特徴とする。
【００１０】
このようなプロジェクターによれば、操作方法画像投写終了部は、操作方法画像投写開始部が操作方法画像の投写を開始した後、所定の時間の経過後に操作方法画像の投写を終了する。これにより、プロジェクターが操作方法画像の投写を終了するため、ユーザーが操作方法画像の投写を終了させる必要がなく、利便性が高い。
【００１１】
［適用例３］上記適用例に係るプロジェクターにおいて、入力操作を受け付ける入力操作受付部をさらに有し、前記操作方法画像投写開始部が前記操作方法画像の投写を開始した後、前記入力操作受付部が所定の入力操作を受け付けると、前記操作方法画像投写終了部は、前記操作方法画像の投写を終了することを特徴とする。
【００１２】
このようなプロジェクターによれば、入力操作受付部は、入力操作を受け付ける。操作方法画像投写開始部が操作方法画像の投写を開始した後、入力操作受付部が所定の入力操作を受け付けると、操作方法画像投写終了部は、操作方法画像の投写を終了する。これにより、ユーザーは、台形歪を補正するための操作方法を視認した後、所望のタイミングで操作方法画像の投写を終了させることができるため、利便性が高い。
【００１３】
［適用例４］上記適用例に係るプロジェクターにおいて、前記所定の入力操作は、前記入力操作受付部が受け付ける任意の入力操作とすることを特徴とする。
【００１４】
このようなプロジェクターによれば、操作方法画像投写開始部が操作方法画像の投写を開始した後、入力操作受付部が任意の入力操作を受け付けると、操作方法画像投写終了部は、操作方法画像の投写を終了する。これにより、ユーザーは、任意の入力操作によって所望のタイミングで操作方法画像の投写を終了させることができるため、利便性が高い。
【００１５】
［適用例５］本実施形態に係るプロジェクターの制御方法は、光源と、前記光源から射出された光を変調して画像を形成する光変調装置と、前記光変調装置で形成された画像を投写する投写光学系と、投写した画像の投写面上の台形歪を補正するための台形歪補正手段と、前記台形歪補正手段を用いて前記台形歪を補正するための操作方法を表す操作方法画像を記憶する操作方法画像記憶部と、を備えたプロジェクターの制御方法であって、前記光源を点灯させるための電源オン操作を受け付けるオン操作受付ステップと、前記オン操作受付ステップによって前記電源オン操作が受け付けられると、前記操作方法画像記憶部に記憶された前記操作方法画像の投写を開始する操作方法画像投写開始ステップと、を備えることを特徴とする。
【００１６】
このようなプロジェクターの制御方法によれば、電源オン操作が受け付けられると、台形歪を補正するための操作方法の画像の投写を開始する。これにより、ユーザーは、台形歪を補正するための操作方法を視認して理解することができるため、プロジェクターに不慣れなユーザーであっても、台形歪補正を容易に行うことが可能となる。
【００１７】
また、上述したプロジェクターおよびその制御方法がプロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ、ＤＶＤ（Digital Versatile Disk）、光磁気ディスク、不揮発性メモリーカード、プロジェクターの内部記憶装置（ＲＡＭやＲＯＭ等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００１８】
【図１】実施形態に係るプロジェクターの概略構成を示すブロック図。
【図２】液晶ライトバルブを示す正面図。
【図３】入力操作受付部を示す平面図。
【図４】操作方法画像のＯＳＤ画像データを表す図。
【図５】台形歪を説明するための説明図であり、画像データに対して台形歪補正を施していない状態を示す図であり、（ａ）は、液晶ライトバルブを光入射面側から見た正面図、（ｂ）は、プロジェクターが水平に投写を行う様子を示す側面図、（ｃ）は、スクリーンに表示される投写画像を示す正面図、（ｄ）は、プロジェクターを傾けた状態で投写する様子を示す側面図、（ｅ）は、スクリーンに表示される投写画像を示す正面図。
【図６】台形歪補正を説明するための説明図であり、（ａ）は、液晶ライトバルブを光入射面側から見た正面図、（ｂ）は、傾斜投写を行う場合にスクリーンに表示される投写画像を示す正面図。
【図７】プロジェクターが電源オンされたときの処理のフローチャート。
【発明を実施するための形態】
【００１９】
以下、実施形態について説明する。
【００２０】
（実施形態）
図１は、本実施形態に係るプロジェクターの概略構成を示すブロック図である。図１を使用して、プロジェクター１の内部構成について説明する。
【００２１】
プロジェクター１は、画像投写部１０、制御部２０、入力操作受付部２１、光源制御部２２、所定時間記憶部２３、画像信号入力部３１、画像処理部３２、ＯＳＤ処理部３３、台形歪補正部３４等を備えている。
【００２２】
画像投写部１０は、超高圧水銀ランプやメタルハライドランプ等の放電型光源や、ＬＥＤ（Light Emitting Diode）やレーザー等の固体光源からなる光源１１と、光源１１から射出される光を変調する光変調装置としての液晶ライトバルブ１２と、液晶ライトバルブ１２から射出される変調光をスクリーンＳＣ等に拡大投写する投写光学系としての投写レンズ１３と、液晶ライトバルブ１２を駆動するライトバルブ駆動部１４とを備えている。
【００２３】
図２は、液晶ライトバルブを示す正面図である。液晶ライトバルブ１２は、一対の透明基板間に液晶が封入された液晶パネル等によって構成される。図２に示すように、各透明基板の内面には、液晶に対して微小領域（画素１２ｐ）毎に駆動電圧を印加可能な透明電極（画素電極）が、矩形の領域（画素領域１２ａ）内にマトリクス状に形成されている。ライトバルブ駆動部１４の駆動によって、液晶ライトバルブ１２の各画素１２ｐに画像信号に応じた駆動電圧が印加されると、各画素１２ｐは、画像信号に応じた光透過率で光源光を透過させる。
【００２４】
光源１１から射出された光は、この液晶ライトバルブ１２を透過することによって変調され、変調後の光が投写レンズ１３によって投写されることにより、スクリーンＳＣ等に画像信号に応じた画像が表示される。
【００２５】
図１に戻り、制御部２０は、ＣＰＵ（Central Processing Unit）、各種データの一時記憶等に用いられるＲＡＭ（Random Access Memory）、および、マスクＲＯＭ（Read Only Memory）やフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。
また、制御部２０には、時間の計測を行うタイマー２０ａが備えられている。本実施形態では、タイマー２０ａは、所定の時間を計時する。
【００２６】
入力操作受付部２１は、プロジェクター１に対する各種の入力操作を受け付けるための複数のキー等を備えている。入力操作受付部２１が備えるキーとしては、電源のオン／オフを行うための「電源キー」や、入力ソースを切り替えるための「入力切替キー」、各種設定を行うためのメニュー画面の表示／非表示を切り替える「メニューキー」、メニュー画面における上下方向のカーソルの移動や、台形歪の補正に用いられる「上キー」および「下キー」、メニュー画面における左右方向のカーソルの移動等に用いられる「左キー」および「右キー」、各種設定を決定するための「決定キー」、各種操作の取消等を指示するための「取消キー」等がある。
【００２７】
ユーザーが入力操作受付部２１を操作すると、入力操作受付部２１は、ユーザーの操作内容に応じた操作信号を制御部２０に出力する。なお、入力操作受付部２１は、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して制御部２０に伝達する。なお、電源キーを備える入力操作受付部２１が、オン操作受付部に相当する。
【００２８】
ここで、入力操作受付部２１について説明する。図３は、本実施形態における入力操作受付部２１を示す平面図である。
図３に示すように、入力操作受付部２１には、電源キー２１１、入力切替キー２１２、メニューキー２１３、上キー２１４、下キー２１５、左キー２１６、右キー２１７、決定キー２１８、取消キー２１９が備えられている。
【００２９】
図１に戻り、光源制御部２２は、制御部２０の指示に基づいて、光源１１に対する電力の供給と停止とを制御し、光源１１の点灯および消灯を切り替える。
【００３０】
所定時間記憶部２３は、不揮発性のメモリーからなり、所定の時間の設定値を記憶する。所定時間記憶部２３は、制御部２０によって読み出しが行われる。本実施形態では、所定の時間は３０秒とする。なお、所定の時間はこれに限定するものではない。
【００３１】
画像信号入力部３１には、パーソナルコンピューターやビデオ再生装置等、外部の画像供給装置（図示せず）とケーブルを介した接続を行うための各種の画像入力端子が備えられており、画像供給装置から画像信号が入力される。画像信号入力部３１は、入力される画像信号を、画像処理部３２で処理可能な形式の画像データに変換して、画像処理部３２に出力する。
【００３２】
画像処理部３２は、制御部２０の指示に基づいて、画像信号入力部３１から入力される画像データに対して、明るさ、コントラスト、シャープネス、色合い等の調整や、ガンマ補正等の各種画質調整を施す。画像処理部３２は、このような調整および処理を行った画像データをＯＳＤ処理部３３に出力する。
【００３３】
ＯＳＤ処理部３３は、制御部２０の指示に基づいて、メニュー画面やメッセージ画面等のＯＳＤ（オンスクリーンディスプレイ）画像を、画像処理部３２から入力される画像データに重畳する処理を行う。ＯＳＤ処理部３３は、ＯＳＤメモリー３３ａを備えており、ＯＳＤ画像を形成するための図形やフォント等を表すＯＳＤ画像データを記憶している。制御部２０が、ＯＳＤ画像の重畳を指示すると、ＯＳＤ処理部３３は、必要なＯＳＤ画像データをＯＳＤメモリー３３ａから読み出し、入力画像の所定の位置にＯＳＤ画像が重畳されるように、画像処理部３２から入力される画像データにこのＯＳＤ画像データを合成する。ＯＳＤ画像データが合成された画像データは、台形歪補正部３４に出力される。なお、制御部２０からＯＳＤ画像を重畳する旨の指示がない場合には、ＯＳＤ処理部３３は、画像処理部３２から出力される画像データを、そのまま台形歪補正部３４に出力する。
【００３４】
本実施形態では、ＯＳＤメモリー３３ａに台形歪を補正するための操作方法を表す操作方法画像のＯＳＤ画像データを記憶している。本実施形態では、ＯＳＤメモリー３３ａが、操作方法画像記憶部に相当する。
【００３５】
ここで、ＯＳＤメモリー３３ａに記憶されている操作方法画像について説明する。
図４は、操作方法画像のＯＳＤ画像データを表す図である。図４に示すように、操作方法画像のＯＳＤ画像データＭ１においては、画像上部に、「画面が台形に歪んでいたら、上下キーで補正してください。」という文字列を表示する。そして、当該文字列の下側の左側に、上底が下底よりも短い台形ＤＩ１、および台形歪の補正方向のイメージを表す三角形ＳＩ１を表示する。また、台形ＤＩ１の下側には、上底が下底よりも長い台形ＤＩ２、および台形歪の補正方向のイメージを表す三角形ＳＩ２を表示する。さらに、台形ＤＩ１の右側には、台形ＤＩ１が表す台形歪の補正操作を行うための上キー２１４を表す図形ＫＩ１を表示する。また、台形ＤＩ２の右側には、台形ＤＩ２が表す台形歪の補正操作を行うための下キー２１５を表す図形ＫＩ２を表示する。上述したように、ＯＳＤ画像データＭ１は、台形歪を補正するための操作方法を表している。
【００３６】
図１に戻り、台形歪補正部３４は、スクリーンＳＣに対してプロジェクター１を傾けた状態で画像を投写する場合に、投写画像が傾斜方向に拡大してしまう歪（台形歪）を抑制するために、入力される画像データの補正（台形歪補正）を行う。入力操作受付部２１から入力される上キー２１４の押下や下キー２１５の押下の情報、即ち台形歪補正指示の情報に基づいて、制御部２０は、台形歪補正部３４に対して台形歪補正の実施を指示し、台形歪補正部３４は台形歪補正を実施する。このときの入力操作受付部２１、制御部２０および台形歪補正部３４が台形歪補正手段に相当する。
【００３７】
台形歪補正とは、画像データから画素値の間引きを行って、傾斜方向に向かうほど投写画像を縮小させるものであり、台形歪補正部３４は、補正後の画像データをライトバルブ駆動部１４に出力する。なお、台形歪補正を行わない場合には、ＯＳＤ処理部３３から出力される画像データが、そのままライトバルブ駆動部１４に出力される。ライトバルブ駆動部１４が、入力される画像データ、即ち画素１２ｐ毎の画素値に従って液晶ライトバルブ１２を駆動すると、画像データに応じた画像がスクリーンＳＣに投写される。
【００３８】
ここで、台形歪補正部３４によって行われる台形歪補正について、図５および図６を用いて説明する。
図５は、台形歪を説明するための説明図であり、画像データに対して台形歪補正を施していない状態を示す図である。ここで、同図（ａ）は、液晶ライトバルブ１２を光入射面側から見た正面図、同図（ｂ）は、プロジェクター１が水平に投写を行う様子を示す側面図、同図（ｃ）は、そのときにスクリーンＳＣに表示される投写画像を示す正面図である。また、同図（ｄ）は、プロジェクター１を傾けた状態で投写する様子を示す側面図であり、同図（ｅ）は、そのときにスクリーンＳＣに表示される投写画像を示す正面図である。
【００３９】
なお、図５において、液晶ライトバルブ１２に向かって左右方向（水平方向の左右）を±ｘ方向、上下方向（垂直方向の上下）を±ｙ方向とし、スクリーンＳＣに向かって左右方向（水平方向の左右）を±Ｘ方向、上下方向（垂直方向の上下）を±Ｙ方向とする。ここで、スクリーンＳＣのＸ方向及びＹ方向は、それぞれ液晶ライトバルブ１２のｘ方向、及びｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
【００４０】
また、図５および図６において、画素領域１２ａや投写画像Ｇａ内に示した格子状の模様は、画素領域１２ａに形成された画像と、スクリーンＳＣに投写された投写画像Ｇａとの対応を示すために補助的に付加した線であり、実際にこのような模様を表示することを意味するものではない。
【００４１】
図５（ａ）に示すように、台形歪補正を行わない場合には、液晶ライトバルブ１２は、台形歪補正部３４から入力される画像データに基づいた画像（入力画像Ｇｉ）を画素領域１２ａの全体で形成する。つまり、この場合には、入力画像Ｇｉを形成するための領域（画像形成領域１２ｉ）は、画素領域１２ａと一致する。ここで、図５（ｂ）、（ｃ）に示すように、プロジェクター１が水平に設置され、スクリーンＳＣに対して傾きのない投写を行う場合には、スクリーンＳＣに表示される投写画像Ｇａ（入力画像Ｇｉ）は、画素領域１２ａと同じ矩形状となる。
【００４２】
一方、図５（ｄ）、（ｅ）に示すように、プロジェクター１をスクリーンＳＣに対して傾けて設置し、上方（＋Ｙ方向）に向けて投写を行う場合には、スクリーンＳＣに表示される投写画像Ｇａは、傾斜方向（＋Ｙ方向）に向かうほど、±Ｘ方向及び＋Ｙ方向に拡大されて台形状に歪む。本実施形態では、このように＋Ｙ方向（垂直方向）の傾斜投写を行った場合の台形歪補正について説明する。
【００４３】
図６は、台形歪補正を説明するための説明図であり、同図（ａ）は、液晶ライトバルブ１２を光入射面側から見た正面図、同図（ｂ）は、傾斜投写を行う場合にスクリーンＳＣに表示される投写画像を示す正面図である。
【００４４】
台形歪補正部３４は、ＯＳＤ処理部３３から入力される画像データから画素値の間引きを行い、補正を行わない場合に比べて、投写画像Ｇａが傾斜方向（＋Ｙ方向）に向かうほど縮小するような補正を施す。具体的には、図６（ａ）、（ｂ）に示すように、液晶ライトバルブ１２の画素領域１２ａに、投写画像Ｇａと反対向きの台形形状、即ち傾斜方向（＋ｙ方向）に向かうほど横幅が縮小する形状の画像形成領域１２ｉを設定する。さらに、画像データから、あおり投写による拡大の程度が高い位置ほど多くの画素値を間引くことにより、この画像形成領域１２ｉ内に入力画像Ｇｉを形成する。
【００４５】
また、台形歪補正部３４は、画像形成領域１２ｉの外側の領域１２ｎに含まれる各画素１２ｐの光透過率が最小となるように画像データを補正する。この結果、図６（ｂ）に示すように、傾斜投写による入力画像Ｇｉのゆがみが補正されるとともに、領域１２ｎに対応する投写画像Ｇａ内の領域Ｇｎには光がほとんど照射されないことから、入力画像Ｇｉは、正規の形状（矩形状）でスクリーンＳＣに表示される。なお、画素値の間引きに伴う階調情報の欠落を補うために、間引きの対象となる画素に近接する画素の画素値を、間引かれる画素値に応じて補正することが望ましい。
【００４６】
次に、プロジェクター１が電源オンされたときの動作について説明する。図７は、プロジェクター１が電源オンされたときの処理のフローチャートである。
【００４７】
入力操作受付部２１に備わる電源キー２１１が押下され、プロジェクター１の電源オンの操作信号が入力されると、制御部２０は、初期処理を行う（ステップＳ１０１）。本実施形態では、初期処理は、ＣＰＵの初期化やＲＡＭ等のメモリーの初期化を行う。また、その他のソフトウェアやハードウェアの初期化等も行われる。次に、制御部２０は、光源制御部２２に指示を出して、光源１１を点灯させる（ステップＳ１０２）。
【００４８】
制御部２０は、ＯＳＤ処理部３３に指示を出して、操作方法画像のＯＳＤ画像データＭ１の投写を開始させる（ステップＳ１０３）。このときの制御部２０およびＯＳＤ処理部３３が操作方法画像投写開始部に相当する。そして、制御部２０は、タイマー２０ａをスタートする（ステップＳ１０４）。そして、制御部２０は、入力操作受付部２１に対して任意のキーが押下されたか否かを判断する（ステップＳ１０５）。本実施形態では、任意のキーの押下が任意の入力操作に相当する。
【００４９】
任意のキーが押下されていなければ（ステップＳ１０５：ＮＯ）、制御部２０は、所定時間記憶部２３に記憶されている所定の時間が経過したか否かを判断する（ステップＳ１０６）。所定の時間が経過していなければ（ステップＳ１０６：ＮＯ）、ステップＳ１０５に戻り、任意のキー押下の判断と所定の時間経過の判断を繰り返す。
【００５０】
任意のキーが押下された場合（ステップＳ１０５：ＹＥＳ）、または、所定の時間が経過した場合（ステップＳ１０６：ＹＥＳ）、制御部２０は、ＯＳＤ処理部３３に指示を出して、操作方法画像のＯＳＤ画像データＭ１の投写を終了させる（ステップＳ１０７）。このときの制御部２０およびＯＳＤ処理部３３が操作方法画像投写終了部に相当する。そして、制御部２０は、画像処理部３２に指示を出して、入力画像の投写を開始させる（ステップＳ１０８）。そして、プロジェクター１が電源オンされたときの処理を終了する。
【００５１】
上述したように、プロジェクター１は、電源オン操作が行われた際に、操作方法画像を投写する。操作方法画像は、任意のキーが押下されるか、または、所定の時間の経過により、投写を終了される。
【００５２】
上述した実施形態によれば、以下の効果が得られる。
（１）プロジェクター１は、電源オン操作が行われた際に、操作方法画像を投写する。つまり、電源オンされると、プロジェクター１は、台形歪を補正するための操作方法の画像の投写を行う。これにより、ユーザーは、台形歪を補正するための操作方法を視認して理解することができるため、プロジェクター１に不慣れなユーザーであっても、台形歪補正を容易に行うことが可能となる。また、プロジェクター１では、傾斜を検出するための装置を備える必要がないため、製造コストの増加を抑制した態様で、台形歪補正機能の利用を促進することができる。
【００５３】
（２）プロジェクター１は、操作方法画像の投写を開始した後、所定の時間が経過すると操作方法画像の投写を終了する。これにより、プロジェクター１が操作方法画像の投写を終了するため、ユーザーが操作方法画像の投写を終了させる操作を行う必要がなく、利便性が高い。
【００５４】
（３）プロジェクター１は、操作方法画像の投写を開始した後、任意のキーが押下されると、操作方法画像の投写を終了する。これにより、ユーザーは、任意のキーの押下により、所望のタイミングで操作方法画像の投写を終了させることができるため、利便性が高い。
【００５５】
なお、上述した実施形態に限定されず、種々の変更や改良等を加えて実施することが可能である。変形例を以下に述べる。
【００５６】
（変形例１）上記実施形態では、任意のキーが押下されると、操作方法画像の投写を終了するものとしたが、所定のキーの押下により操作方法画像の投写を終了するものとしてもよい。所定のキーとしては、例えば、取消キー２１９等としてもよい。
【００５７】
（変形例２）上記実施形態では、任意のキーが押下されると、操作方法画像の投写を終了して入力画像の投写を開始するものとしたが、操作方法画像の投写を終了して入力画像の投写を開始し、さらに、押下されたキーに対応する機能を実行してもよい。例えば、上キー２１４や下キー２１５が押下された場合は、操作方法画像の投写を終了後、直ちに台形歪補正の機能を実行してもよい。
【００５８】
（変形例３）上記実施形態では、所定の時間の設定値は所定時間記憶部２３に記憶されており、制御部２０によって読み出しが行われるものとしたが、所定の時間の設定値を変更可能としてもよい。例えば、ユーザーがプロジェクター１にソフトウェアとして実装する機能メニューに「時間設定」画面を設け、ユーザーがこの画面上で所定の時間を設定可能としてもよい。この場合、ユーザーが設定した所定の時間の設定値は、制御部２０によって所定時間記憶部２３に記憶される。
【００５９】
（変形例４）上記実施形態では、垂直方向（±Ｙ方向）に傾斜投写を行った場合に台形歪補正可能なプロジェクター１が操作方法画像を投写するものとしたが、水平方向（±Ｘ方向）に傾斜投写を行った場合に水平方向の台形歪補正可能なプロジェクターについても操作方法画像を投写するものとしてもよい。この場合、例えば、左キー２１６や右キー２１７を用いて水平方向の台形歪補正を行うことを可能とする。そして、操作方法画像には、左キー２１６の押下や右キー２１７の押下によって水平方向の台形歪を補正するための操作方法を表示する。また、操作方法画像は、垂直方向の台形歪補正の操作方法、および水平方向の台形歪補正の方法の両方を表示してもよい。
【００６０】
（変形例５）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００６１】
１…プロジェクター、１０…画像投写部、１１…光源、１２…液晶ライトバルブ、１３…投写レンズ、１４…ライトバルブ駆動部、２０…制御部、２０ａ…タイマー、２１…入力操作受付部、２２…光源制御部、２３…所定時間記憶部、３１…画像信号入力部、３２…画像処理部、３３…ＯＳＤ処理部、３３ａ…ＯＳＤメモリー、３４…台形歪補正部。
【図１】
2010271612.tif 000003
【図２】
2010271612.tif 000004
【図３】
2010271612.tif 000005
【図４】
2010271612.tif 000006
【図５】
2010271612.tif 000007
【図６】
2010271612.tif 000008
【図７】
2010271612.tif 000009